(57)【要約】【課題】ユーザビリティに優れた画像形成装置を提供する。【解決手段】画像形成装置１は、発行された印刷ジョブのジョブ属性を識別し、識別したジョブ属性に応じて、第１のトレイ切替条件、または、第１のトレイ切替条件よりも条件が緩い第２のトレイ切替条件を選択するとともに、印刷ジョブを実行中に、使用中の給紙トレイ３１の紙無しを検知した場合、選択したトレイ切替条件を満たす他の給紙トレイ３１に切り替えるように制御する。【選択図】図１５
2019162827.tif 000002
【特許請求の範囲】
【請求項１】
収容した用紙を給紙する複数の給紙トレイと、
前記給紙トレイの紙無しを検知する検知部と、
印刷ジョブに基づいて、前記給紙トレイから給紙した用紙に画像形成する画像形成部と、
発行された前記印刷ジョブのジョブ属性を識別し、識別した前記ジョブ属性に応じて、第１のトレイ切替条件、または、前記第１のトレイ切替条件よりも条件が緩い第２のトレイ切替条件を選択するとともに、前記印刷ジョブを実行中に、前記検知部によって使用中の前記給紙トレイの紙無しを検知した場合、選択した前記トレイ切替条件を満たす他の給紙トレイに切り替える切替制御部と、
を備える画像形成装置。
【請求項２】
前記切替制御部は、前記ジョブ属性として、前記印刷ジョブを発行したユーザーのユーザー情報を用いる、請求項１に記載の画像形成装置。
【請求項３】
前記印刷ジョブの発行にともなってユーザー認証が行われ、
前記切替制御部は、予め記憶されているユーザー情報と前記トレイ切替条件との対応関係を記述したユーザーリストを参照し、認証されたユーザーのユーザー情報を用いて、前記トレイ切替条件の選択を行う、請求項２に記載の画像形成装置。
【請求項４】
前記切替制御部は、前記ジョブ属性として、使用中の前記給紙トレイの用紙情報の設定に用いた設定画面の種類を用いる、請求項１に記載の画像形成装置。
【請求項５】
前記設定画面の種類には、前記用紙情報に関する詳細な設定を行う第１種の設定画面と、前記第１種の設定画面よりも簡略化した第２種の設定画面が含まれ、
前記切替制御部は、使用中の前記給紙トレイの前記用紙情報の設定が、
前記第１種の設定画面を用いて行われていた場合には、前記第１のトレイ切替条件により他の給紙トレイへの切り替えを行い、
前記第２種の設定画面を用いて行われていた場合には、前記第２のトレイ切替条件により他の給紙トレイへの切り替えを行う、請求項４に記載の画像形成装置。
【請求項６】
前記切替制御部は、識別された前記ジョブ属性として、前記印刷ジョブのジョブ設定を用いる、請求項１に記載の画像形成装置。
【請求項７】
前記切替制御部は、前記ジョブ設定に設定されている部数、または１部当たりのページ数が所定の閾値を超えていれば前記第１のトレイ切替条件を選択し、前記部数および前記ページ数のいずれも前記閾値を超えていなければ前記第２のトレイ切替条件を選択する、請求項６に記載の画像形成装置。
【請求項８】
前記閾値は、ユーザーにより設定可能である、請求項７に記載の画像形成装置。
【請求項９】
実行した印刷ジョブの前記ジョブ設定が履歴データとして蓄積され、
さらに、前記履歴データの前記ジョブ設定を解析する解析部を備え、
前記解析部は、前記履歴データの前記部数および前記１部当たりのページ数に基づいて、前記閾値を設定する、請求項７に記載の画像形成装置。
【請求項１０】
前記切替制御部は、前記第１のトレイ切替条件として、使用中の前記給紙トレイ、および前記他の給紙トレイの用紙サイズ、坪量、用紙種類を比較し、全てが一致する場合に、前記第１のトレイ切替条件を満たすと判断する、請求項１から請求項９のいずれかに記載の画像形成装置。
【請求項１１】
前記切替制御部は、前記第２のトレイ切替条件として、使用中の前記給紙トレイ、および前記他の給紙トレイの用紙サイズが一致する場合に、前記第２のトレイ切替条件を満たすと判断する、請求項１から請求項１０のいずれかに記載の画像形成装置。
【請求項１２】
前記切替制御部は、前記第２のトレイ切替条件を選択した場合に、切替前後での前記給紙トレイの用紙サイズが一致したとしても、使用中の前記給紙トレイの用紙種類が普通紙である場合に、用紙種類が予め定められた特定の紙を給紙する他の給紙トレイへの切り替えを禁止する、請求項１１に記載の画像形成装置。
【請求項１３】
前記切替制御部は、前記第２のトレイ切替条件により他の給紙トレイに切り替える場合に、ユーザーによる確認を受け付けるための確認画面を表示させる、請求項１から請求項１２のいずれかに記載の画像形成装置。
【請求項１４】
前記切替制御部は、
ユーザーによる前記ジョブ属性の設定を受け付け、受け付けた設定に応じて、用いる前記ジョブ属性を切り替える、請求項１から請求項１３のいずれかに記載の画像形成装置。
【請求項１５】
前記ジョブ属性として、
前記印刷ジョブを発行したユーザーのユーザー情報、
使用中の前記給紙トレイの用紙情報の設定に用いた設定画面の種類、および、
前記印刷ジョブのジョブ設定のいずれかが選択される、請求項１４に記載の画像形成装置。
【請求項１６】
収容した用紙を給紙する複数の給紙トレイと、前記給紙トレイの紙無しを検知する検知部と、発行された印刷ジョブに基づいて、前記給紙トレイから給紙した用紙に画像形成する画像形成部と、を備える画像形成装置を制御するコンピューターで実行される制御プログラムであって、
前記印刷ジョブを実行中に、前記検知部によって、使用中の前記給紙トレイの紙無しを検知するステップ（ａ）と、
発行された前記印刷ジョブのジョブ属性を識別するステップ（ｂ）と、
識別した前記ジョブ属性に応じて、第１のトレイ切替条件、または、前記第１のトレイ切替条件よりも条件が緩い第２のトレイ切替条件を選択するステップ（ｃ）と、
選択した前記トレイ切替条件を満たす他の給紙トレイに切り替えるステップ（ｄ）と、
を含む処理を、前記コンピューターに実行させるための制御プログラム。
【請求項１７】
前記ステップ（ｃ）では、識別された前記ジョブ属性として、前記印刷ジョブを発行したユーザーのユーザー情報を用いて、前記トレイ切替条件の選択を行う、請求項１６に記載の制御プログラム。
【請求項１８】
前記ステップ（ｃ）では、識別された前記ジョブ属性として、使用中の前記給紙トレイの用紙情報の設定に用いた設定画面の種類を用いて、前記トレイ切替条件の選択を行う、請求項１６に記載の制御プログラム。
【請求項１９】
前記ステップ（ｃ）では、識別された前記ジョブ属性として、前記印刷ジョブのジョブ設定を用いて、前記トレイ切替条件の選択を行う、請求項１６に記載の制御プログラム。
【発明の詳細な説明】
【技術分野】
【０００１】
本発明は、画像形成装置、および制御プログラムに関する。
【背景技術】
【０００２】
一般的な画像形成装置では、給紙トレイから連続して用紙を給紙、搬送して画像形成している最中に用紙無し（用紙切れ）が発生した場合には、使用中の給紙トレイと同一の用紙サイズの用紙が収容されている他の給紙トレイに切り替えるＡＴＳ（Ａｕｔｏ  Ｔｒａｙ  Ｓｗｉｔｃｈ）技術がある。
【０００３】
また、近年、カラー印刷業界においては、電子写真方式のプリンター等の画像形成装置が広く活用されてきている。カラー印刷業界に対応するＰＰ（プロダクションプリント）の分野では、オフィスで用いられる場合に比べて多様な用紙への適応が求められる。そして、これらの多様な用紙に対して高品質な印刷を行うために、給紙トレイに収容している用紙属性を複数項目で特定し、特定した設定項目に応じた画像形成条件で印刷を行う画像形成装置がある。
【０００４】
このような多様な用紙に対して、ＡＴＳにより他の給紙トレイへ切り替える場合に、切り替え前後の給紙トレイで厳格に全ての設定項目が一致する場合にのみ切り替えるようにした場合には、多くの場合、ＡＴＳが有効に機能しない。
【０００５】
このような問題に対して、特許文献１に開示された印刷装置では、他の給紙トレイに設定されている用紙サイズや紙種といった用紙属性と、紙が無くなった元の給紙トレイの用紙属性とを比較し、最も近い条件の用紙属性が設定されている他の給紙トレイに切り替えている。特許文献１の印刷装置ではこのようにすることで、ほとんどの場合にＡＴＳを機能させている。その一方で、この印刷装置では、予期しない用紙属性の用紙を収容する給紙トレイに切り替えられてしまう虞がある。特許文献１のこのような問題に対して、特許文献２に開示された自動トレイ選択プログラムでは、給紙トレイ毎に設定されている許容範囲を参照し、元の給紙トレイと用紙属性が許容範囲内にある他の給紙トレイがある場合に、他の給紙トレイへの切り替えを行うようにしている。特許文献２においてはこれにより、ＡＴＳの許容範囲を広げ、有効に機能するようにさせるととともに、予期しない用紙が用いられることを抑制している。
【先行技術文献】
【特許文献】
【０００６】
【特許文献１】特開２００２−０２６４４４号公報
【特許文献２】特開２０１０−２０１７６９号公報
【発明の概要】
【発明が解決しようとする課題】
【０００７】
しかしながら、特許文献２では、給紙トレイ毎に用紙属性の許容範囲を設定しているため印刷ジョブを発行するユーザーに応じて、ＡＴＳの切り替え条件を切り替えることができず、ユーザビリティに劣るという問題がある。
【０００８】
本発明は、上記事情に鑑みてなされたものであり、ユーザビリティに優れた画像形成装置、および制御プログラムを提供することを目的とする。
【課題を解決するための手段】
【０００９】
本発明の上記目的は、下記の手段によって達成される。
【００１０】
（１）収容した用紙を給紙する複数の給紙トレイと、
前記給紙トレイの紙無しを検知する検知部と、
印刷ジョブに基づいて、前記給紙トレイから給紙した用紙に画像形成する画像形成部と、
発行された前記印刷ジョブのジョブ属性を識別し、識別した前記ジョブ属性に応じて、第１のトレイ切替条件、または、前記第１のトレイ切替条件よりも条件が緩い第２のトレイ切替条件を選択するとともに、前記印刷ジョブを実行中に、前記検知部によって使用中の前記給紙トレイの紙無しを検知した場合、選択した前記トレイ切替条件を満たす他の給紙トレイに切り替える切替制御部と、
を備える画像形成装置。
【００１１】
（２）前記切替制御部は、前記ジョブ属性として、前記印刷ジョブを発行したユーザーのユーザー情報を用いる、上記（１）に記載の画像形成装置。
【００１２】
（３）前記印刷ジョブの発行にともなってユーザー認証が行われ、
前記切替制御部は、予め記憶されているユーザー情報と前記トレイ切替条件との対応関係を記述したユーザーリストを参照し、認証されたユーザーのユーザー情報を用いて、前記トレイ切替条件の選択を行う、上記（２）に記載の画像形成装置。
【００１３】
（４）前記切替制御部は、前記ジョブ属性として、使用中の前記給紙トレイの用紙情報の設定に用いた設定画面の種類を用いる、上記（１）に記載の画像形成装置。
【００１４】
（５）前記設定画面の種類には、前記用紙情報に関する詳細な設定を行う第１種の設定画面と、前記第１種の設定画面よりも簡略化した第２種の設定画面が含まれ、
前記切替制御部は、使用中の前記給紙トレイの前記用紙情報の設定が、
前記第１種の設定画面を用いて行われていた場合には、前記第１のトレイ切替条件により他の給紙トレイへの切り替えを行い、
前記第２種の設定画面を用いて行われていた場合には、前記第２のトレイ切替条件により他の給紙トレイへの切り替えを行う、上記（４）に記載の画像形成装置。
【００１５】
（６）前記切替制御部は、識別された前記ジョブ属性として、前記印刷ジョブのジョブ設定を用いる、上記（１）に記載の画像形成装置。
【００１６】
（７）前記切替制御部は、前記ジョブ設定に設定されている部数、または１部当たりのページ数が所定の閾値を超えていれば前記第１のトレイ切替条件を選択し、前記部数および前記ページ数のいずれも前記閾値を超えていなければ前記第２のトレイ切替条件を選択する、上記（６）に記載の画像形成装置。
【００１７】
（８）前記閾値は、ユーザーにより設定可能である、上記（７）に記載の画像形成装置。
【００１８】
（９）実行した印刷ジョブの前記ジョブ設定が履歴データとして蓄積され、
さらに、前記履歴データの前記ジョブ設定を解析する解析部を備え、
前記解析部は、前記履歴データの前記部数および前記１部当たりのページ数に基づいて、前記閾値を設定する、上記（７）に記載の画像形成装置。
【００１９】
（１０）前記切替制御部は、前記第１のトレイ切替条件として、使用中の前記給紙トレイ、および前記他の給紙トレイの用紙サイズ、坪量、用紙種類を比較し、全てが一致する場合に、前記第１のトレイ切替条件を満たすと判断する、上記（１）から上記（９）のいずれかに記載の画像形成装置。
【００２０】
（１１）前記切替制御部は、前記第２のトレイ切替条件として、使用中の前記給紙トレイ、および前記他の給紙トレイの用紙サイズが一致する場合に、前記第２のトレイ切替条件を満たすと判断する、上記（１）から上記（１０）のいずれかに記載の画像形成装置。
【００２１】
（１２）前記切替制御部は、前記第２のトレイ切替条件を選択した場合に、切替前後での前記給紙トレイの用紙サイズが一致したとしても、使用中の前記給紙トレイの用紙種類が普通紙である場合に、用紙種類が予め定められた特定の紙を給紙する他の給紙トレイへの切り替えを禁止する、上記（１１）に記載の画像形成装置。
【００２２】
（１３）前記切替制御部は、前記第２のトレイ切替条件により他の給紙トレイに切り替える場合に、ユーザーによる確認を受け付けるための確認画面を表示させる、上記（１）から上記（１２）のいずれかに記載の画像形成装置。
【００２３】
（１４）前記切替制御部は、
ユーザーによる前記ジョブ属性の設定を受け付け、受け付けた設定に応じて、用いる前記ジョブ属性を切り替える、上記（１）から上記（１３）のいずれかに記載の画像形成装置。
【００２４】
（１５）前記ジョブ属性として、
前記印刷ジョブを発行したユーザーのユーザー情報、
使用中の前記給紙トレイの用紙情報の設定に用いた設定画面の種類、および、
前記印刷ジョブのジョブ設定のいずれかが選択される、上記（１４）に記載の画像形成装置。
【００２５】
（１６）収容した用紙を給紙する複数の給紙トレイと、前記給紙トレイの紙無しを検知する検知部と、発行された印刷ジョブに基づいて、前記給紙トレイから給紙した用紙に画像形成する画像形成部と、を備える画像形成装置を制御するコンピューターで実行される制御プログラムであって、
前記印刷ジョブを実行中に、前記検知部によって、使用中の前記給紙トレイの紙無しを検知するステップ（ａ）と、
発行された前記印刷ジョブのジョブ属性を識別するステップ（ｂ）と、
識別した前記ジョブ属性に応じて、第１のトレイ切替条件、または、前記第１のトレイ切替条件よりも条件が緩い第２のトレイ切替条件を選択するステップ（ｃ）と、
選択した前記トレイ切替条件を満たす他の給紙トレイに切り替えるステップ（ｄ）と、
を含む処理を、前記コンピューターに実行させるための制御プログラム。
【００２６】
（１７）前記ステップ（ｃ）では、識別された前記ジョブ属性として、前記印刷ジョブを発行したユーザーのユーザー情報を用いて、前記トレイ切替条件の選択を行う、上記（１６）に記載の制御プログラム。
【００２７】
（１８）前記ステップ（ｃ）では、識別された前記ジョブ属性として、使用中の前記給紙トレイの用紙情報の設定に用いた設定画面の種類を用いて、前記トレイ切替条件の選択を行う、上記（１６）に記載の制御プログラム。
【００２８】
（１９）前記ステップ（ｃ）では、識別された前記ジョブ属性として、前記印刷ジョブのジョブ設定を用いて、前記トレイ切替条件の選択を行う、上記（１６）に記載の制御プログラム。
【発明の効果】
【００２９】
本発明に係る画像形成装置、および制御プログラムによれば、発行された印刷ジョブのジョブ属性を識別し、識別したジョブ属性に応じて、第１のトレイ切替条件、または、第１のトレイ切替条件よりも条件が緩い第２のトレイ切替条件を選択するとともに、印刷ジョブを実行中に、使用中の前記給紙トレイの紙無しを検知した場合、選択したトレイ切替条件を満たす他の給紙トレイに切り替えるように制御する。このようにすることで、印刷ジョブを発行したユーザーに応じた給紙トレイの切替制御を実行でき、ユーザビリティに優れた画像形成装置、および制御プログラムを提供できる。
【図面の簡単な説明】
【００３０】
【図１】画像形成装置の全体構成図である。
【図２】画像形成装置のハードウェア構成を示すブロック図である。
【図３】制御部の機能構成を示すブロック図である。
【図４】第２種の簡易な設定画面を示す図である。
【図５】第２種の設定画面を示す図である。
【図６】第２種の設定画面を示す図である。
【図７】第１種の詳細な設定画面を示す図である。
【図８】第１種の設定画面を示す図である。
【図９】第１種の設定画面を示す図である。
【図１０】第２種の設定画面を示す図である。
【図１１】第１種の設定画面を示す図である。
【図１２】設定画面を示す図である。
【図１３】第２種の設定画面を示す図である。
【図１４】第１種の設定画面を示す図である。
【図１５】ＡＴＳ処理を示すメインフローチャートである。
【図１６】図１５のステップＳ１５の切替条件の選択に関するサブルーチンフローチャートである。
【図１７】ジョブ属性の設定を行う設定画面を示す図である。
【図１８】ユーザーリストの例を示す図である。
【図１９Ａ】図１５のステップＳ１６の給紙トレイ切替制御に関するサブルーチンフローチャートである。
【図１９Ｂ】図１９Ａに続くサブルーチンフローチャートである。
【図２０】用紙無しのときに表示される設定画面を示す図である。
【図２１】用紙情報に関する項目と分類を示す表である。
【図２２】用紙無し時に表示する確認画面の例である。
【図２３】用紙無し時に表示する確認画面の例である。
【図２４】図１６に続くサブルーチンフローチャートである。
【図２５】ジョブ属性の設定を行う設定画面を示す図である。
【図２６】図１５のステップＳ１７の履歴管理に関するサブルーチンフローチャートである。
【図２７】履歴データの例を示す図である。
【発明を実施するための形態】
【００３１】
以下、添付した図面を参照して、本発明の実施形態を説明する。なお、図面の説明において同一の要素には同一の符号を付し、重複する説明を省略する。また、図面の寸法比率は、説明の都合上誇張されており、実際の比率とは異なる場合がある。
【００３２】
図１は、本発明の実施形態に係る画像形成装置の全体構成図である。図２は、画像形成装置のハードウェア構成を示すブロック図である。図３は、制御部の機能構成を示すブロック図である。
【００３３】
図１、図２に示すように、画像形成装置１は、制御部１０、画像形成部２０、給紙搬送部３０、後処理部４０、操作パネル５０、スキャナー６０、プリンタコントローラー７０、ＦＡＸ８０、ネットワークＩ／Ｆ（インターフェース）９０、およびシリアル（Ｓｅｒｉａｌ）Ｉ／Ｆ９５を有する。これらの構成要素は信号をやり取りするためのバスを介して相互に接続される。
【００３４】
制御部１０は、複数のＣＰＵ（Ｃｅｎｔｒａｌ  Ｐｒｏｃｅｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）等を含む。制御部１０により処理されるデータがＲＡＭにより一時的に記憶される。ＲＯＭにより、各種プログラムや各種データが記憶される。ＨＤＤ、およびＳＳＤは記憶部１３０（図３参照）として機能する。この記憶部１３０により、画像形成装置１の各構成要素を制御するためのプログラムを含む各種プログラムや、ネットワークＩ／Ｆ９０を通じて送られた外部からの印刷データ、またはスキャナー６０を通じて得られた画像データ、各種の設定情報を示すテーブルおよびその他の各種データが保存される。なお、記憶部１３０は、物理的には画像形成装置１の装置本体内になくてもよく、例えば、ネットワーク上のファイルサーバ内に設けられていてもよい。
【００３５】
画像形成部２０は、トナーを用いた周知の電子写真式プロセスにより用紙Ｓ上に画像を形成する。画像形成部２０は、作像部２１Ｙ、２１Ｍ、２１Ｃ、２１Ｋ、および定着部２２を有する。作像部２１Ｙ、２１Ｍ、２１Ｃ、２１Ｋは、それぞれイエロー（Ｙ）、マゼンタ（Ｍ）、シアン（Ｃ）、ブラック（Ｋ）の各基本色に対応しており、各色のトナー画像は、順次、搬送されてくる用紙Ｓに転写される。このトナー画像は、下流側の定着部２２で加熱・加圧処理され用紙Ｓ表面に定着される。
【００３６】
給紙搬送部３０は、複数の給紙トレイ３１、用紙搬送路３２、３３、３４、排紙トレイ３５、および紙無検知センサー３６等を有する。また、給紙トレイ３１は、用紙を載置する昇降板と、幅方向規制板、後端規制板が設けられている。昇降板に載置された用紙束の上端が所定の高さになるように昇降板は上下動される。その昇降板を上下動するモータの回転軸に取り付けられたエンコーダ−により昇降板の位置情報を取得して、用紙残量を検知する。また、ユーザーは、給紙トレイ３１内に用紙を補給する際に用紙サイズに合わせて、各規制板の位置を動かす。この規制板の位置を光学センサー等により検出することにより補給された用紙サイズの検出が行われる。なお、給紙トレイ３１としては、図１のように装置本体内に配置したものだけでなく、外付けの給紙装置を装置本体に隣接して設け、この外付けの給紙装置内に配置したものを用いてもよい。
【００３７】
各給紙トレイ３１には、複数枚の用紙Ｓを収容し、備えられた給紙ローラーによって最上位の用紙Ｓを１枚ずつ給紙する。用紙搬送路３２〜３４に沿って複数の搬送ローラー対が配置され、これらの搬送ローラー対は、駆動部（図示せず）により駆動される。給紙搬送部３０は、給紙トレイ３１から給紙された用紙Ｓを、用紙搬送路３２に沿って画像形成部２０に送り、画像形成後に下流側の用紙搬送路３４を経由させて、排紙トレイ３５に搬送する。なお、両面印刷を行う場合は、片面に画像形成された用紙Ｓを装置本体の下部にある両面用の用紙搬送路３３に搬送する。この用紙搬送路３３に搬送された用紙Ｓは、スイッチバック経路で表裏を反転された後、片面用の用紙搬送路３２に合流し、再び画像形成部２０で用紙Ｓのもう一方の面に画像形成される。
【００３８】
各給紙トレイ３１内に収容した用紙Ｓが無くなったことは、検知部として機能する紙無検知センサー３６により検知される。紙無検知センサー３６は、例えば発光部と受光部とを備える光学方式のセンサーである。
【００３９】
後処理部４０は、用紙搬送路３４内に設けられている。後処理部４０では、例えば綴じ処理を行い、用紙をスタックするスタック部とステープル部を有し、複数枚の用紙Ｓをこのスタック部で重ねた後、ステープル部でステープルを用いた平綴じ処理を行う。
【００４０】
操作パネル５０はタッチパネル、テンキー、スタートボタン、ストップボタン等を備えており、表示部、および操作部として機能する。操作パネルは、印刷条件等の各種設定の入力や、装置の状態の表示および各種指示の入力に使用される。またユーザーは、後述するように操作パネル５０を通じて、給紙トレイ３１に装填した用紙の紙情報を入力できる。紙情報としては、用紙の種類（普通紙、コート紙、パンチ穴、インデックス紙、色紙）、用紙の厚み、坪量、サイズ等がある（後述の図９、図２１参照）。入力した紙情報は、給紙トレイ３１と関連付けられて制御部１０の記憶部１３０に記憶される。
【００４１】
スキャナー６０は、装置本体上部に設けられ、原稿の読み取りを行い、画像データを生成する。
【００４２】
プリンタコントローラー７０は、ネットワークＩ／Ｆ９０により受信された印刷ジョブに含まれる印刷データのレイアウト処理およびラスタライズ処理を行い、ビットマップ形式の画像のデータである画像データを生成する。印刷ジョブには、印刷データおよびジョブ設定が含まれる。印刷データとは、印刷の対象である文書のデータであり、印刷データには、例えば、イメージデータ、ベクタデータ、テキストデータといった各種データが含まれる。具体的には、印刷データは、ＰＤＬ（Ｐａｇｅ  Ｄｅｓｃｒｉｐｔｉｏｎ  Ｌａｎｇｕａｇｅ）データ、ＰＤＦ（Ｐｏｒｔａｂｌｅ  Ｄｏｃｕｍｅｎｔ  Ｆｏｒｍａｔ）データまたはＴＩＦＦ（Ｔａｇｇｅｄ  Ｉｍａｇｅ  Ｆｉｌｅ  Ｆｏｒｍａｔ）データである。「ジョブ設定」とは、用紙情報を含む画像形成に関する設定、出力部数、１部当たりの枚数に関する設定、および印刷物の後処理に関する設定であり、例えば、用紙の種類、グレースケールまたはフルカラー、２ｉｎ１、両面印刷、ステープル、穴あけ、および折りなどの各種設定が含まれる。
【００４３】
ＦＡＸ８０は、モデム等を有し、電話回線により公衆回線または構内交換機などの電話回線網に接続して外部の端末との間でデータの送受信を行う。
【００４４】
ネットワークＩ／Ｆ９０は、イーサネット（登録商標）等の規格による有線通信のネットワークインターフェースや、Ｂｌｕｅｔｏｏｔｈ（登録商標）、ＩＥＥＥ８０２．１１等の規格による無線通信のインターフェース等の各種ローカル接続向けのインターフェースであり、ネットワークに接続したＰＣ（パーソナルコンピューター）等のユーザー端末との通信を行う。
【００４５】
シリアルＩ／Ｆ９５は、ＲＳ−２３２Ｃ、ＩＥＥＥ１３９４、ＵＳＢ等の規格によるシリアル通信のインターフェースであり、各種端末との通信を行う。
【００４６】
図３に示すように制御部１０の機能には、切替制御部１１０、解析部１２０、および記憶部１３０が含まれる。切替制御部１１０は、ＡＴＳを行い、用紙無し（用紙切れ）が発生した際に給紙トレイ３１の切り替え制御を行う。また、切替制御部１１０は、発行された印刷ジョブを解析し、ジョブ属性を識別する。より具体的には切替制御部１１０は、ジョブ属性として、「ユーザー情報」、「設定画面の種類」、および「ジョブ設定」のいずれかを用いて、発行された印刷ジョブが、ＰＰ（ｐｒｏｄｕｃｔｉｏｎ  ｐｒｉｎｔ）機を利用するユーザー（以下、「ＰＰ向けのユーザー」という）により発行された印刷ジョブであるか、ＯＰ（Ｏｆｆｉｃｅ  ｐｒｏｄｕｃｔ）機を利用するユーザー（以下、「ＯＰ向けのユーザー」という）により発行された印刷ジョブであるかを識別する。なお、本実施形態においては、ＡＴＳ処理に関してはＰＰ向けのユーザーは、品質管理に対して厳格であり、用紙情報が一致する用紙のみへの切り替えを望むと仮定している。また、ＯＰ向けのユーザーは、それほど品質管理に対して厳格ではなく、用紙サイズのみが一致し、坪量等の他の用紙情報が一致しない用紙への切り替えを許容すると仮定している。
【００４７】
解析部１２０は、完了した印刷ジョブに関する履歴データの蓄積を行うとともに、この履歴データを解析し、後述するジョブ属性の識別に用いる部数の閾値、および１部当たりのページ数の閾値の自動設定を行う。
【００４８】
記憶部１３０には、ＯＰ向けの簡易設定画面、ＰＰ向けの詳細設定画面、印刷ジョブの履歴データ、ジョブ属性設定、ユーザーリスト、各給紙トレイ３１に収容した用紙の用紙属性に関する紙種トレイ設定情報、等が記憶されている。以下、順に説明する。
【００４９】
詳細設定画面は、専任のオペレーターの操作を前提とした用紙情報に関する詳細な設定が可能なＰＰ向けの設定画面である。一方で簡易設定画面は、一般的なユーザーの操作を想定し、詳細画面よりも紙情報等に関する設定項目を簡略化した設定画面である。より具体的には、例えば「詳細設定画面」は、操作に慣れたユーザーが効率的に操作できる画面構成であり、ひとつの画面から実施できることが多い。そして、様々な用紙種別に対して高画質で印刷できることを重要視されるため、例えばコピーを設定するコピー画面では用紙種別・トレイの選択が大きな面積を占める。一方で、「簡易設定画面」は、あまり操作に慣れていないユーザーでもわかりやすいように、シンプルかつ簡便な画面構成であり、コピー画面では出力イメージの表示が大きな面積を占める（デフォルト時）。ユーザーは用紙種別にこだわらないため、用紙種別についての情報は少ない。以下においては詳細設定画面、簡易設定画面を、それぞれ第１種、第２種の設定画面と呼ぶ。
【００５０】
一般に、ＰＰ向けの装置においては第１種の詳細な設定画面を用い、ＯＰ向けの装置においては第２種の簡易な設定画面を用いて用紙情報の設定を行い、両者を混在して用いることはまれである。本実施形態に係る画像形成装置１はＰＰ向けの装置であるが、ＯＰ向けの装置の操作に慣れた（専任のオペレーターではない）一般ユーザーも使い易いように、詳細設定画面と簡易設定画面の両方を混在して用いるものである。以下の説明においては最初に、第２種、第１種の設定画面のそれぞれについて説明し、その後、両者の設定画面の切り替え操作について説明する。
【００５１】
図４から図６は、第２種の設定画面の例であり、図７から図９は、第１種の設定画面の例である。以下においては、この設定画面を含む各種の画面を操作パネル５０に表示するものとして説明するが、ユーザー端末（ＰＣ）の画面に表示してもよい。
【００５２】
ユーザーは第２種の設定画面により給紙トレイ３１の用紙情報を設定する場合には、図４に示す基本の設定画面５１ａの「用紙」ボタンを押し下げる（図では操作するボタンの箇所を手先のイラストで示す（以下同様））。これにより図５の設定画面５１ｂに遷移する。この設定画面５１ｂでは、設定する給紙トレイ３１を選択する。同図の例では、最上段の給紙トレイ３１が選択されている。この設定画面５１ｂにおいて「選択トレイの設定変更」ボタンを押し下げることにより、図６の設定画面５１ｃに遷移する。
【００５３】
図６の設定画面５１ｃにおいて、「自動検出」ボタンを押し下げることにより用紙サイズの自動検出が行われる。設定画面５１ｃでは、Ｂ５サイズであることが検出されている。また、ユーザーは、用紙種類を選択する。用紙種類で「普通紙」が選択された場合には、欄ａ１に示すように、坪量はデフォルト値の「６０−９０ｇ／ｍ２」に設定される。このように、簡易設定画面においては、ユーザーは坪量を意識せずに用紙情報の設定を行える。
【００５４】
ユーザーは第１種の詳細な設定画面により給紙トレイ３１の用紙情報を設定する場合には、図７に示す機械状態を示す設定画面５１ｄの「用紙設定」ボタンを押し下げる。これにより図８の設定画面５１ｅに遷移する。この設定画面５１ｅでは、設定する給紙トレイ３１を選択する。同図の例では、最上段の給紙トレイ３１が選択されている。この設定画面５１ｅにおいて「設定変更」ボタンを押し下げることにより、図９の設定画面５１ｆに遷移する。この設定画面によりユーザーは、用紙種類、用紙サイズ、表裏調整、坪量、等の用紙情報に関する複数項目の設定を行える。例えば「坪量」ボタンを選択することにより、坪量を設定できる。ユーザーは、設定の選択が終了した後に「登録＆ＯＫ」ボタンを押し下げることにより用紙情報は登録され、トレイ設定情報として記憶部１３０に記憶される（図３の「トレイ設定情報」）。このように詳細設定画面においては、ユーザーは坪量を含め、用紙情報に関する各項目を意識しながら設定を行う。
【００５５】
次に、詳細設定画面と簡易設定画面間、すなわち、第１種と第２種の設定画面間の遷移について説明する。
【００５６】
図１０は上述の図４に示した設定画面５１ａと同様の他の実施例に係る第２種の設定画面５２ａである。この設定画面５２ａでは「用紙」ボタンを押し下げることで、図１１の第２種の詳細な設定画面５２ｂに遷移する。図１２の設定画面５２ｃは、用いる詳細設定画面と簡易設定画面を選択する画面であり、上述の設定画面とは異なる設定画面から遷移する画面である。この設定画面５２ｃでは、ユーザーは、「簡易設定呼び出し」ボタンｂ１を押し下げることにより、欄ａ２の「トレイ設定呼び出しの表示」を、「詳細設定呼び出し」から「簡易設定呼び出し」に変更することができ、「ＯＫ」ボタンを押し下げることにより変更が確定される。例えば図１３の第２種の設定画面５２ｄに遷移する。この設定画面５２ｄへは、図１１の設定画面５２ｂで「設定呼び出し」ボタンを押し下げることによっても遷移する。図１３の設定画面５２ｄにおいて「詳細設定呼び出し」ボタンを押し下げることにより、図１４に示す第１種の設定画面５２ｅに遷移する。なお、この図１４の第１種の設定画面５２ｅにおいて「簡易設定呼び出し」ボタンを押し下げることによっても、図１３の第２種の設定画面５２ｄに遷移する。
【００５７】
第１種の設定画面５２ｅでは、例えば、用紙の設定情報を最大で５００個まで登録できる。ユーザーはこの設定画面５２ｅでユーザーが使用したい用紙プロファイルを選択し、ＯＫボタンを押し下げることで、各給紙トレイ３１の設定情報が更新される。なお、新規な用紙プロファイルの登録自体は、別の設定画面（図示せず）により行える。図１３等の第２種の設定画面５２ｄにより給紙トレイ３１の紙種情報の設定がなされた場合には、その紙種情報および第２種の設定画面を用いたことが各給紙トレイ３１に紐付けられて記憶部１３０に記憶される。同様に図１４等の第１種の設定画面５２ｅにより給紙トレイ３１の紙種情報の設定がなされた場合には、その紙種情報および第１種の設定画面を用いたことが各給紙トレイ３１に紐付けられて記憶部１３０に記憶される。
【００５８】
（制御フロー）
以下、図１５から図２７を参照し、画像形成装置１の制御部１０（切替制御部１１０）が行う印刷ジョブ実行時のＡＴＳ処理について説明する。図１５は、ＡＴＳ処理を示すメインフローチャートであり、図１６、図１９Ａ、図１９Ｂ、図２４、図２６は、サブルーチンのフローチャートである。本実施形態では、画像形成装置１に対して印刷ジョブを発行したユーザーが、用紙に対して詳細な設定を行うＰＰ向けのユーザーであるか、または用紙に対しては坪量等を意識しないＯＰ向けのユーザーであるかを、印刷ジョブのジョブ属性により識別する。そして、その判別結果に応じたＡＴＳ処理を行うものである。
【００５９】
（ステップＳ１１）
最初に制御部１０は、ユーザーから印刷ジョブの登録を受け付ける。例えばユーザーは、ユーザー端末から認証情報とともに印刷ジョブを画像形成装置１に投入する。あるいは、操作パネル５０からの認証情報のキー入力またはＩＣカードリーダー（図示せず）を用いたデータ転送によるユーザー認証を行った後に、操作パネルからの操作を通じた印刷ジョブの登録を受け付ける。この認証情報には、例えばユーザーＩＤ、およびパスワードが含まれる。
【００６０】
（ステップＳ１２）
ステップＳ１１で投入された印刷ジョブを実行する。具体的には、印刷ジョブに設定されたジョブ設定に応じて選択した給紙トレイ３１から用紙Ｓを給紙し、画像形成部２０により画像を形成する。
【００６１】
（ステップＳ１３）
印刷ジョブの印刷が完了していなければ（ＮＯ）、処理をステップＳ１４に進める。一方で、完了すれば（ＹＥＳ）処理をステップＳ１７に進める。この印刷ジョブ履歴管理を行うステップＳ１７については後述する（後述の図２６）。
【００６２】
（ステップＳ１４）
制御部１０は、紙無検知センサー３６により使用中の給紙トレイ３１の用紙無し（用紙切れ）を検知しない場合（ＮＯ）には、処理をステップＳ１２に戻す。一方で、用紙無しを検知した場合（ＹＥＳ）には、印刷ジョブを中断させるとともに処理をトレイ切替条件の選択処理に関するステップＳ１５に進める。
【００６３】
（ステップＳ１５（ジョブ属性に応じた切替条件の選択））
図１６はステップＳ１５のサブルーチンフローチャートである。図１６のサブルーチンフローチャートにおいては、切替制御部１１０はジョブ属性の設定に応じて、印刷ジョブがＰＰ向けユーザーにより発行されたものか、ＯＰ向けユーザーにより発行されたものであるかを識別する。そしてＰＰ向けユーザーによる印刷ジョブであれば第１の切替条件を選択し、ＯＰ向けユーザーによる印刷ジョブであれば第２の切替条件を選択する。
【００６４】
（ステップＳ１０１）
図１６のステップＳ１０１では、切替制御部１１０は、ステップＳ１１で受け付けた印刷ジョブのジョブ属性の設定について判定する。このジョブ属性の設定は、図１７の設定画面５３ａで行える。ユーザーは欄ａ１１を操作することで、ジョブ属性の設定に関して、「ユーザー情報」、「設定画面の種類」、および「ジョブ設定」のいずれかを選択できる。選択により設定されたジョブ属性は、記憶部１３０に記憶される。図１７の設定画面５３ａの例のように「ユーザー情報」が設定されていれば処理をステップＳ１０２に進める。あるいは、「設定画面の種類」が設定されていれば処理をステップＳ１１１に進め、「ジョブ設定」が設定されている場合には、図２４のステップＳ３０１に処理を進める。以下、ジョブ属性として「ユーザー情報」、および「設定画面の種類」が設定されている場合について順に説明し、残りのジョブ属性として「ジョブ設定」が設定されている場合については後述する（図２４）。
【００６５】
（ステップＳ１０２）
切替制御部１１０は、印刷ジョブを発行したユーザーのユーザー情報（ユーザーＩＤ）を取得する。ユーザー情報は、ステップＳ１１の印刷ジョブの登録時に取得した認証情報に含まれる。
【００６６】
（ステップＳ１０３）
切替制御部１１０は、次にユーザーリストを参照する。図１８は、ユーザーリストの例を示す図である。図１８に示すようにユーザーリストは、ユーザー情報（ユーザーＩＤ）とトレイ切替条件との対応関係を記述したものであり、これは予め記憶部１３０に記憶されている。また、このユーザーリストは、画像形成装置１の管理者権限を有するユーザーにより、操作パネル５０等を通じて変更、追加することが可能である。例えばＰＰ向けユーザーは第１のトレイ切替条件に設定され、ＯＰ向けユーザーは第２のトレイ切替条件に設定される。
【００６７】
（ステップＳ１０４）
切替制御部１１０は、ユーザーリストを参照することで、印刷ジョブを投入したユーザーのユーザー情報に基づいて切替条件の選択を行う。例えば図１８においてユーザーＩＤが「ユーザー１」のユーザーであれば、「第１のトレイ切替条件」を選択する。以降は、サブルーチンフローチャートの処理を終了し、図１５のメインルーチンフローチャートに戻る。
【００６８】
（ステップＳ１１１）
次に「ジョブ属性」として「設定画面の種類」が設定されている場合の処理について説明する。切替制御部１１０は、印刷ジョブ登録時に使用していて、かつ用紙無しとなった給紙トレイ３１の用紙情報の指定に用いた設定画面の種類を判定する。上述の図８、９、１４の詳細な第１種の設定画面を用いて、使用していた給紙トレイ３１の用紙情報の設定がなされていた場合には、処理をステップＳ１１２に進める。
【００６９】
一方で、第１種の設定画面よりも簡略化された、図５、６、１３の第２種の設定画面を用いて、用紙情報の設定がなされていた場合には、処理をステップＳ１１３に進める。このようにするのは、第１種の設定画面を用いたユーザーは、ＰＰ向けユーザーであると推定でき、第２種の設定画面を用いたユーザーは、用紙サイズ以外の坪量等の用紙情報を意識しないＯＰ向けユーザーであると推定できるからである。
【００７０】
（ステップＳ１１２）
切替制御部１１０は、第１の切替条件を選択する。以降は、サブルーチンフローチャートの処理を終了し、図１５のメインルーチンフローチャートに戻る。
【００７１】
（ステップＳ１１３）
切替制御部１１０は、第２の切替条件を選択する。以降は、サブルーチンフローチャートの処理を終了し、図１５のメインルーチンフローチャートに戻る。
【００７２】
（ステップＳ１６（給紙トレイ切替制御））
図１９Ａ、図１９Ｂは、図１５のステップＳ１６のサブルーチンフローチャートである。ここでは、以下に説明するように、ステップＳ１５で選択した切替条件を用いて給紙トレイのＡＴＳ処理を行う。
【００７３】
（ステップＳ２０１）
最初に、切替制御部１１０は、ステップＳ１５で選択した切替条件がＰＰ向けユーザーの「第１の切替条件」であれば（ＹＥＳ）、処理をステップＳ２０２に進め、第１の切替条件でなく（ＮＯ）、ＯＰ向けユーザーの「第２の切替条件」であれば処理を図１９ＢのステップＳ２１１に進める。
【００７４】
（ステップＳ２０２）
ここでは、切替制御部１１０は、使用中の給紙トレイ３１の用紙情報を取得する。取得する用紙情報には、用紙サイズ、坪量（用紙坪量）、用紙種類が含まれる。図２０（ａ）の設定画面５３ｂでは、使用中の最上段の「トレイ１」（欄ａ２１）で用紙無しが発生した状況を示している。そして、「トレイ１」の用紙情報は、用紙サイズはＡ４、紙種は「普通紙」、坪量は７５−８０ｇ／ｍ２、色紙は「白色」である。同図に示す例では、用紙種類の情報として「紙種」、「色紙」を用いているが、用紙種類の情報として、さらに「パンチ穴」の有無、「インデックス紙」の対象有無、を含ませてもよい。図２１に用紙情報に関する項目と、各項目の分類（クラス）を記述した表を示す。
【００７５】
（ステップＳ２０３）
次に、切替制御部１１０は、他の給紙トレイ３１の用紙情報を取得する。このとき、用紙Ｓが収容されていない等により使用できない給紙トレイがあれば、用紙情報を取得する対象から外してもよい。
【００７６】
（ステップＳ２０４）
切替制御部１１０は、ステップＳ２０２、Ｓ２０３で取得した使用中の給紙トレイ３１（トレイ１）の用紙情報と、他の給紙トレイ３１（トレイ２からトレイ５）の用紙情報それぞれとを第１の切替条件により比較する。ここで、第１の切替条件は、用紙情報の用紙サイズ、坪量、用紙種類の全てが一致するか否かを判断し、一致する場合に他の給紙トレイに切り替えるものである。図２０（ｂ）の例では、全ての項目において、トレイ１の用紙情報と一致するトレイ４が選ばれる。なお、トレイ１とトレイ４の坪量の単位系が異なるが、坪量４１−４４ｋｇ（Ａ本判ｋｇ）＝７５−８０ｇ／ｍ２であり両者は同じ坪量であり、同じ分類に相当するので同一と判断している。第１の切替条件を満たす他の給紙トレイ３１があれば（ＹＥＳ）、処理をステップＳ２０５に進め、一致する他の給紙トレイ３１が無ければ（ＮＯ）、処理をステップＳ２０６に進める。なお、用紙情報が全て一致するとは、図２１の全ての用紙情報の項目が一致する場合である。また、用紙情報が全て一致する他の給紙トレイ３１が複数存在する場合には、所定の優先順序により、例えば画像形成部２０に最も近い最下流の給紙トレイ３１を選択するようにしてもよい。
【００７７】
（ステップＳ２０５）
切替制御部１１０は、使用する給紙トレイ３１を他の給紙トレイ３１に切り替えた後、サブルーチンフローチャートの処理を終了し、図１５のメインルーチンフローチャートに戻り、紙無しにより中断していた印刷ジョブを再開する。
【００７８】
（ステップＳ２０６）
ここでは、切替制御部１１０は、ユーザーに紙無しであることを通知するために、操作パネル５０に警告画面を表示する。
【００７９】
（ステップＳ２０７）
切替制御部１１０は、ユーザーにより、空の給紙トレイ３１に用紙Ｓが補給されるまで待機する。用紙が補給されて使用可能になれば（ＹＥＳ）、処理をステップＳ２０８に進める。
【００８０】
（ステップＳ２０８）
切替制御部１１０は、ステップＳ２０６で表示させていた警告画面を消去する。以降は、サブルーチンフローチャートの処理を終了し、図１５のメインルーチンフローチャートに戻り、紙無しにより中断していた印刷ジョブを再開する。
【００８１】
（ステップＳ２１１、Ｓ２１２）
以下、第２の切替条件が選択された場合の処理について説明する。図１９ＢのステップＳ２１１、Ｓ２１２では、切替制御部１１０は、上述のステップＳ２０２、Ｓ２０３と同様に、使用中の給紙トレイ３１、および他の給紙トレイ３１の用紙情報を取得する。
【００８２】
（ステップＳ２１３）
切替制御部１１０は、ステップＳ２１１、Ｓ２１２で取得した使用中の給紙トレイ３１（トレイ１）の用紙情報と、他の給紙トレイ３１（トレイ２からトレイ５）の用紙情報それぞれとを第２の切替条件により比較する。ここで、第２の切替条件は、用紙情報の用紙サイズが一致するか否かを判断し、一致する場合に他の給紙トレイに切り替えるものである。図２０（ｃ）の例では、トレイ２からトレイ５の全てが切り替えの対象（候補）になり得る。第２の切替条件を満たす他の給紙トレイ３１、すなわち用紙サイズが一致する他の給紙トレイ３１があれば（ＹＥＳ）、処理をステップＳ２１４に進め、一致する他の給紙トレイ３１が無ければ（ＮＯ）、処理をステップＳ２０６に戻す。なお、ここで、全ての用紙情報が一致する他の給紙トレイ３１が存在すれば、その給紙トレイ３１を選択した上で、以下のステップＳ２１４からＳ２１８の処理をスキップして、処理をステップＳ２１９に進めるようにしてもよい。
【００８３】
（ステップＳ２１４）
切替制御部１１０は、印刷ジョブ登録時、すなわちステップＳ１１の印刷ジョブ投入時に使用しており、かつ用紙無しが発生した給紙トレイ３１の用紙種類が「普通紙」であるか否かを判断する。「普通紙」であれば（ＹＥＳ）、処理をステップＳ２１５に進め、そうでなければ（ＮＯ）、処理をステップＳ２１７に進める。
【００８４】
（ステップＳ２１５）
ここでは、切替制御部１１０は、ステップＳ２１３で判定した用紙サイズが一致する他の給紙トレイ３１の用紙種類が「上質紙」であるいか否かを判断する。「上質紙」であれば（ＹＥＳ）、この給紙トレイ３１への切り替えを禁止し、処理をステップＳ２０６に戻す。これは、上質紙は一般にコストが高く、ＯＰ向けのユーザーが用紙種類を意識せずに普通紙を使っていた場合に、高コストの上質紙が意図せずに使用されることを防止するためである。一方で、「上質紙」でなければ（ＮＯ）、処理をステップＳ２１７に進める。なお、本実施形態では、予め定められた「特定の紙」として「上質紙」を例に説明しているが、これに限られず、特定の紙として追い刷り用紙、エンボス紙等、に設定してもよい。また、この特定の紙の指定は操作パネル５０を通じてユーザーにより指定できるようにしてもよい。
【００８５】
（ステップＳ２１６）
ここでは、切替制御部１１０は、ステップＳ２１３で判定した給紙トレイ３１から上質紙の給紙トレイ３１を除外する。例えば上述の図２０に示す例では、用紙サイズは一致するが、用紙種類が上質紙であるトレイ５は除外され、トレイ２からトレイ４が切替候補の対象として残ることになる。そして処理をステップＳ２１７に進める。なお、除外した結果、第１の切替条件を満たす他の給紙トレイ３１が存在しなくなるのであれば、処理をステップＳ２０６に戻す。
【００８６】
（ステップＳ２１７）
切替制御部１１０は、トレイ切替のための確認画面を操作パネル５０に表示する。図２２、図２３は、確認画面５３ｅ、５３ｆの例である。図２２の確認画面５３ｅの例では、印刷ジョブの登録時に使用しており、かつ、紙無しが発生した給紙トレイ３１は、トレイ２である。そしてトレイ２と第２の切替条件を満たす給紙トレイ３１は、トレイ３から５であるが、ステップＳ２１６の処理によりトレイ４、５は除外されたためトレイ３が切替対象の他の給紙トレイ３１となっている。
【００８７】
切替制御部１１０は、図２２の確認画面５３ｅを表示させた後、所定時間経過後に図２３の確認画面５３ｆを表示する。確認画面５３ｆでは対象となる他の給紙トレイ３１を全て表示するが、図２３の例で対象となるは他の給紙トレイ３１はトレイ３のみである。
【００８８】
（ステップＳ２１８）
ユーザーは、図２２においてトレイ３を選択した後、「ＯＫ」ボタンを押し下げることにより切り替える給紙トレイ３１を決定できる。切替制御部１１０は、ユーザーの確認画面５３ｆへの操作を待ち、確認結果がＯＫであれば、処理をステップＳ２１９に進める。なお、ユーザーが「中止」ボタンを押し下げることにより、他の給紙トレイへの切り替えを中止できる。この場合、切替制御部１１０は、処理をステップＳ２０６に戻す。
【００８９】
（ステップＳ２１９）
切替制御部１１０は、使用する給紙トレイ３１を、ステップＳ２１８でユーザーが確認した給紙トレイ３１に切り替えた後、サブルーチンフローチャートの処理を終了し、図１５のメインルーチンフローチャートに戻り、紙無しにより中断していた印刷ジョブを再開する。
【００９０】
（ジョブ属性が「ジョブ設定」の場合）
次に、再び図１６を参照し、他のジョブ属性の場合の処理について説明する。図１６のステップＳ１０１の処理により、図１７の設定画面５３ａの欄ａ１１で「ジョブ設定」が選択されている場合には、以下の図２４のサブルーチンフローチャートが実行される。
【００９１】
（ステップＳ３０１）
図２４のステップＳ３０１では、切替制御部１１０は、実行中に用紙無しが発生した印刷ジョブのジョブ設定の設定内容から出力部数と、１部当たりのページ数を取得する。
【００９２】
（ステップＳ３０２）
切替制御部１１０は、出力部数と閾値ａを比較し、１部当たりのページ数と閾値ｂを比較する。図２５の設定画面５３ｇは、図１７の設定画面５３ａに対して欄ａ１１のジョブ属性で「ジョブ設定」を選択した場合の画面である。欄ａ１１でジョブ設定を選択することで、ユーザーは、欄ａ３１の閾値ａ、欄ａ３２の閾値ｂをそれぞれ設定できる。また、欄ａ３３により後述の自動更新機能を有効にできる（後述の図２６参照）。ユーザーによるこれらの設定は、記憶部１３０に記憶される。
【００９３】
図２５の例では、閾値ａに１００部が、閾値ｂに５００ページが設定されている。切替制御部１１０は、印刷ジョブのジョブ設定の出力部数が閾値ａを超えている場合、または１部当たりのページ数が閾値ｂを超えている場合であれば、処理をステップＳ３０３に進める。一方で、いずれも満たさない場合には、処理をステップＳ３０４に進める。これはいずれかが閾値を超えているジョブ設定の印刷ジョブは、ＰＰ向けユーザーによる印刷ジョブであり、いずれも満たさないジョブ設定の印刷ジョブは、ＯＰ向けユーザーによる印刷ジョブと推定できるためである。
【００９４】
（ステップＳ３０３）
切替制御部１１０は、第１の切替条件を選択する。以降は、サブルーチンフローチャートの処理を終了し、図１５のメインルーチンフローチャートに戻る。
【００９５】
（ステップＳ３０４）
切替制御部１１０は、第２の切替条件を選択する。以降は、サブルーチンフローチャートの処理を終了し、図１５のメインルーチンフローチャートに戻る。
【００９６】
（ステップＳ１７（印刷ジョブ履歴管理））
次に、図２６を参照し、印刷ジョブ履歴管理の処理について説明する。図２６は、ステップＳ１７のサブルーチンフローチャートであり、印刷ジョブが完了した後に行われる処理である。
【００９７】
（ステップＳ４０１）
解析部１２０は、完了した印刷ジョブの設定情報を、記憶部１３０の履歴データに蓄積する。この設定情報には、印刷した出力部数、１部当たりのページ数が含まれる。図２７は制御部１０の記憶部１３０に記憶した履歴データの例である。
【００９８】
（ステップＳ４０２）
解析部１２０は、図２５で欄ａ３３により自動更新に「有効」が設定されていれば（ＹＥＳ）、処理をステップＳ４０３に進め、「無効」であれば（ＮＯ）、サブルーチンフローチャートの処理を終了する。
【００９９】
（ステップＳ４０３）
解析部１２０は、記憶部１３０に記憶されている履歴データから、（１）部数の平均値ａ、（２）１部当たりのページ数の平均値ｂを算出する。
【０１００】
（ステップＳ４０４）
解析部１２０は、算出した部数の平均値ａで部数の閾値ａを更新する。
【０１０１】
（ステップＳ４０５）
同様に解析部１２０は、算出した１部当たりのページ数の平均値ｂで、１部当たりのページ数の閾値ｂを更新する。以上により図２６の処理は終了し、図１５のメインルーチンフローチャートに戻り、処理を終了する。
【０１０２】
なお、ステップＳ４０３では平均値を用いたが、これに限られない。例えば、図２７に示すように履歴データに、印刷ジョブ毎に用紙無しの発生有無にかかわらず、トレイ切替条件を判定し、その判定したトレイ切替条件を履歴データに蓄積する。そして、第２のトレイ切替条件の履歴データのみを抽出し、その中の最大の出力部数をわずかに超える部数、例えば最大の出力部数に一定値を加えた部数で閾値ａを更新する。同様に、１部当たりのページ数も第２の切替条件の履歴データの中から最大のページ数をわずかに超えるページ数で、閾値ｂを更新する。このようにして、閾値ａ、閾値ｂを更新するようにしてもよい。
【０１０３】
このように、本実施形態においては、選択されたジョブ属性の設定に応じて、発行された印刷ジョブのジョブ属性を識別し、識別したジョブ属性に応じて、ＰＰ向けユーザー用の第１のトレイ切替条件、または、第１のトレイ切替条件よりも条件が緩いＯＰ向けユーザー用の第２のトレイ切替条件を選択する。そして、印刷ジョブを実行中に、使用中の給紙トレイの紙無しを検知した場合、選択したトレイ切替条件を満たす他の給紙トレイに切り替えるように制御する。このようにすることで、印刷ジョブを発行したユーザーに応じた給紙トレイの切替制御を実行でき、ユーザビリティに優れた画像形成装置、および制御プログラムを提供できる。
【０１０４】
以上に説明した画像形成装置１の構成は、上記の実施形態の特徴を説明するにあたって主要構成を説明したのであって、上記の構成に限られず、特許請求の範囲内において、種々改変することができる。また、一般的な画像形成装置が備える構成を排除するものではない。
【０１０５】
本実施形態においては、「ジョブ属性」として、「ユーザー情報」、「設定画面の種類」、および「ジョブ設定」の３つを選択的に用いる例を説明したが、これに限られず、いずれかだけを固定で用いる例であってもよい。例えば、「ジョブ属性」として「ユーザー情報」のみを用い、図１６において、ステップＳ１０２からＳ１０４の処理のみを行い、他の処理を省略するようにしてもよい。
【０１０６】
また、各フローチャートにおいて、各ステップは、一部を省略したり、処理の順序を変更したりしてもよい。例えば図１９ＢのステップＳ２１４からＳ２１６の上質紙への変更禁止処理を省略してもよく、図１９ＢのステップＳ２１７、Ｓ２１８のユーザーの確認処理を省略してもよい。また、図１５のステップＳ１５をステップＳ１４よりも前に行うようにしてもよい。
【０１０７】
上述した実施形態に係る画像装置における各種処理を行う手段および方法は、専用のハードウェア回路、またはプログラムされたコンピューターのいずれによっても実現することが可能である。上記プログラムは、たとえば、ＵＳＢメモリやＤＶＤ（Ｄｉｇｉｔａｌ  Ｖｅｒｓａｔｉｌｅ  Ｄｉｓｃ）−ＲＯＭ等のコンピューター読み取り可能な記録媒体によって提供されてもよいし、インターネット等のネットワークを介してオンラインで提供されてもよい。この場合、コンピューター読み取り可能な記録媒体に記録された制御プログラムは、通常、ハードディスク等の記憶部に転送され記憶される。
【符号の説明】
【０１０８】
１  画像形成装置
１０  制御部
１１０  切替制御部
１２０  解析部
１３０  記憶部
２０  画像形成部
２１Ｙ、２２Ｍ、２２Ｃ、２２Ｋ  作像部
２２  定着部
３０  給紙搬送部
３１  給紙トレイ
３６  紙無検知センサー
５０  操作パネル
【図１】
2019162827.tif 000003
【図２】
2019162827.tif 000004
【図３】
2019162827.tif 000005
【図４】
2019162827.tif 000006
【図５】
2019162827.tif 000007
【図６】
2019162827.tif 000008
【図７】
2019162827.tif 000009
【図８】
2019162827.tif 000010
【図９】
2019162827.tif 000011
【図１０】
2019162827.tif 000012
【図１１】
2019162827.tif 000013
【図１２】
2019162827.tif 000014
【図１３】
2019162827.tif 000015
【図１４】
2019162827.tif 000016
【図１５】
2019162827.tif 000017
【図１６】
2019162827.tif 000018
【図１７】
2019162827.tif 000019
【図１８】
2019162827.tif 000020
【図１９Ａ】
2019162827.tif 000021
【図１９Ｂ】
2019162827.tif 000022
【図２０】
2019162827.tif 000023
【図２１】
2019162827.tif 000024
【図２２】
2019162827.tif 000025
【図２３】
2019162827.tif 000026
【図２４】
2019162827.tif 000027
【図２５】
2019162827.tif 000028
【図２６】
2019162827.tif 000029
【図２７】
2019162827.tif 000030